【事件の表示】
　平成７年特許願第６７６０７号「メッセージ表示機能付電気錠用カードリーダ及びこれを使用した集合住宅用電気錠管理システム」拒絶査定不服審判事件〔平成８年１０月８日出願公開、特開平８−２６０７８１〕について、次のとおり審決する。
【結　論】
　本件審判の請求は、成り立たない。
【理　由】
一、手続の経緯
　本願は、平成７年３月２７日に出願された特願平７−６７６０７号の特許出願に係り、本願についての拒絶査定を不服とする平成１５年４月３日付けの審判の請求に伴ってなされた平成１５年５月２日付けの明細書又は図面を補正する手続補正は、当審において補正の却下の決定がなされ、引き続き当審において、平成１５年１月２７日付けの手続補正により補正された明細書の特許請求の範囲に記載の請求項１ないし請求項４に係る発明について、あらためて平成１６年５月２８日付けで拒絶理由通知をしたところ、平成１６年８月２日付けで明細書又は図面を補正する手続補正書が提出されたものである。
　
二、本願発明
　当審が審理の対象とすべき本願発明は、前記平成１６年８月２日付けの手続補正により補正された明細書（以下、これを「本願明細書」という。）の特許請求の範囲の請求項１ないし請求項４に記載された発明であり、そのうちの請求項１に係る発明（以下、これを「
本願発明１
　「【請求項１】住戸毎に割り当てたＩＤコードを登録したＩＤカードを挿入して、ＩＤコードなどの必要な情報を読取るカード読取走査部と、操作手順を表示する表示ランプと、上記カード読取走査部によって読取られたＩＤコードの登録を照合確認して、その登録が確認されたときに、電気錠を解錠させる電気錠制御部と、警報監視盤などの監視装置に通信線を介して接続され、通信制御信号を送受する通信処理部とを備えたカードリーダにおいて、メッセージ表示ランプと、
各住戸毎に、ＩＤコードとメッセージ伝言の有無とを対応付けて記憶する記憶手段と、
上記記憶手段に
際に、上記記憶手段に
記憶
所定時間あるいは再度カード読み取りを行うまで、
た
　
三、当審が拒絶理由に引用した刊行物及び刊行物における記載事項
　
刊行物１
　
刊行物２
　
刊行物３
　
１．当審が拒絶理由に引用した本願の特許出願前に頒布された
刊行物１
　「【０００１】【産業上の利用分野】本発明は集合住宅の玄関装置に係わり、識別データが記録されたカードにより玄関のドアーを解錠すると共に、特定住戸者に対するメッセージを表示するようにした装置に関する。」
　「【０００３】【発明が解決しようとする課題】本発明はこのような点に鑑みなされたもので、共同玄関の所定箇所にカードリーダとメッセージボードを設置し、識別データが記録されたカードにより特定住戸者に対するメッセージをメッセージボードに表示すると共に、玄関のドアーを解錠するようにした集合住宅の玄関装置を提供するものである。
　　【０００４】【課題を解決するための手段】本発明は上述の問題を解決するため、住戸番号等の識別データが記録されたカードと、同カードよりデータを検出するカードリーダと、住戸番号等のデータを予め登録した記憶部と、検出された前記識別データと記憶のデータとを比較識別し、その一致により特定信号を出力する識別部と、共同玄関のドアーを施錠する電気錠と、共同玄関の所定の場所に設けられ、特定の住戸者にメッセージ等を表示するメッセージボードと、管理人室等に設けられ、特定の住戸者へのメッセージをそれぞれ入力するメッセージ入力部と、入力されたメッセージ等のデータを一時記憶するメモリと、前記カードリーダ、記憶部、識別部、電気錠、メッセージボード、メッセージ入力部及びメモリをそれぞれ制御する制御部とでなり、前記特定信号に基づきメッセージボードに前記メッセージ入力部より入力された特定の住戸者へのメッセージを表示すると共に、解錠信号を出力してドアーの電気錠を解錠するように構成した集合住宅の玄関装置を提供するものである。
　　【０００５】【作用】以上のように構成したので、本発明による集合住宅の玄関装置においては、住戸番号等の識別データが記録されたカードのデータをカードリーダで検出し、予め登録されたデータと比較識別し、その一致により出力される信号に基づき、住戸番号等のデータに対応して入力されたメッセージをメッセージボードに表示すると共に、電気錠を解錠して共同玄関のドアーを開ける。」
　「【０００７】図において、１はカードで、住戸番号等の識別データが予め記録されている。２はカードリーダで、カード１の記録データを読取る。３は記憶部で、予め住戸番号、暗証番号等のデータを記録しておく。４は識別部で、カードリーダ２で検出したデータを記憶部３のデータと比較照合し、その一致により住戸番号等の識別信号を出力する。５は共同玄関のドアー１０をロックする電気錠である。６はメッセージボードで、液晶表示板等で構成されカードリーダ２の近傍に設置し、制御部９よりのメッセージデータに基づき起動して特定住戸者へのメッセージを表示する。７はメッセージ入力部で、パソコン若しくはワープロ等で構成して管理人室等に設置し、特定住戸者へのメッセージを住戸番号等の識別コードと共に入力する。８はメモリで、メッセージ入力部７よりのデータを一時格納する。９は制御部で、装置の各部を制御する。
　　【０００８】次に、本発明による集合住宅の玄関装置の動作を説明する。カード１及び記憶部３には住戸者個人を識別するため、例えば住戸番号等のコードを予め登録しておく。また、管理人は特定住戸者に対してメッセージがあるときは、メッセージ入力部７を操作して、例えば、「３０１号室○○様　荷物が届いています。」等の伝言を識別コード３０１等と共に入力し、メモリ８に格納しておく。帰宅した住戸者は所持したカード１を所定操作してカードリーダ２にデータを入力する。カードリーダ２が読取った住戸番号等のデータは、識別部４で記憶部３の登録データと比較照合され、データの一致により識別部４は住戸番号等の識別信号を出力する。この識別信号に基づき制御部９はメモリ８に記憶の対応するデータを検索する。コードがない場合、制御部９はその住戸者へのメッセージがないものとして解錠信号を電気錠５に出力し、共同玄関のドアー１０を開ける。いま、一致したコードがある場合、制御部９はそのコードに対応するメッセージデータをメモリ８より読みだしてメッセージボード６に出力した後、解錠信号を電気錠５に出力してドアー１０を開ける。データを受信したメッセージボード６は、メッセージを表示して住戸者に知らせる。
　　【０００９】図３は本発明の他の実施例を示す要部ブロック図であり、図４は本発明に係わるメールボックスの要部概略構成を示す。なお、図中、図１と同一部分には同一符号を付し重複説明を省略する。１１は光センサで、赤外線発光素子１１ａと複数個の受光素子１１ｂ等より構成される。イはメールボックスの部分正面図、ロはその内部概略図である。１２は扉、１３は住戸番号、１４は郵便物の受入口、１５は把手、１６は郵便物の有無を表示する表示ランプ、１７は扉キャッチャーである。いま、郵便物が受入口１４から投入されると、発光素子１１ａよりの赤外線が郵便物で遮られるので、複数個配置された受光素子１１ｂの出力のＡＮＤをとり、結果が０ならば「郵便物有り」と判別し、光センサ１１は信号を出力する。または、郵便物が投入されるとき、赤外線の受光素子への入力が一瞬無くなるときのパルスの立下がりを検出して判別するようにしてもよい。この判別結果に基づき表示ランプ１６を点灯させるようにするか、若しくは、制御部９を介して当該メールボックスの識別コードをメモリ８に格納する。住戸者が帰宅してカード１をカードリーダ２に挿入して識別データを入力し、識別部４が識別信号を出力すると、制御部９はメモリ８に記憶の識別コードをチェックし、光センサ１１よりの入力があればメッセージボード６に制御信号を出力して表示する。メッセージボード６での表示の方法は、メッセージと合成して表示してもよく、また、ランプ等を別に設けて点灯し、表示するようにしてもよい。本実施例では郵便物の検出に光センサを用いたが、超音波センサ等を用いて検出することもできる。
　　【００１０】【発明の効果】以上に説明したように、本発明による集合住宅の玄関装置においては、住戸番号等の識別データが記録されたカードのデータをカードリーダで検出し、予め登録されたデータと比較識別し、その一致により出力される信号に基づき、住戸番号等のデータに対応して入力されたメッセージをメッセージボードに表示すると共に、電気錠を解錠して共同玄関のドアーを開ける。従って、共同玄関において管理人等よりのメッセージを知ることができるので、例えば、荷物が届いているような場合、受け取ってから自分の住戸に帰ればよく、二度手間を省くことができる。さらに、メールボックスに光センサ等を配して郵便物の有無を検出し、メッセージボードに併せ表示すれば、メールボックスの扉を開けて確認する手間も省くことができる。」
　そして、添付図面の【図２】には、共同玄関のドアー１０の入口手前の壁面に設置されたカードリーダ２の近傍にメッセージボード６が設置されている集合住宅の玄関装置の共同玄関部を図示した概略配置図が記載され、また、添付図面の【図４】のイには、郵便物の受入口１４及び把手１５が設けられたメールボックスの扉１２に住戸番号１３が表示され、郵便物の有無を表示する表示ランプ１６が設けられている集合住宅の玄関装置のメールボックスを図示した部分正面図が記載されている。
　そうすると、上記刊行物１に記載事項からみて、刊行物１には、「住戸番号１３等の識別データが記録されたカード１と、同カード１よりデータを検出するカードリーダ２と、住戸番号１３等のデータを予め登録した記憶部３と、検出された前記識別データと記憶のデータとを比較識別し、その一致により特定信号を出力する識別部４と、共同玄関のドアー１０を施錠する電気錠５と、共同玄関の所定の場所に設けられ、特定の住戸者にメッセージ等を表示するメッセージボード６と、パソコン若しくはワープロ等で構成して管理人室等に設けられ、特定の住戸者へのメッセージを住戸番号等の識別コードと共に入力するメッセージ入力部７と、入力されたメッセージ等のデータを一時記憶するメモリ８と、前記カードリーダ２、記憶部３、識別部４、電気錠５、メッセージボード６、メッセージ入力部７及びメモリ８をそれぞれ制御する制御部９とでなり、管理人が特定の住戸者に対してメッセージがあるときに、メッセージ入力部７を操作することにより識別コードと共に伝言を入力してメモリ８に格納しておき、帰宅した住戸者が所持したカード１を所定操作してカードリーダ２にデータを入力し、カードリーダ２が読取った住戸番号１３等のデータが、識別部４で記憶部３の登録データと比較照合され、データの一致により識別部４が住戸番号等の識別信号、すなわち前記特定信号を出力し、該特定信号に基づき制御部９がメモリ８に記憶の対応するデータを検索し、一致したコードがある場合に、制御部９がそのコードに対応するメッセージデータをメモリ８より読みだしてメッセージボード６に出力した後、解錠信号を電気錠５に出力してドアー１０の電気錠５を解錠し、データを受信したメッセージボード６にメッセージを表示して当該住戸者に知らせるように構成した集合住宅の玄関装置であって、各住戸に対応して設置されたメールボックスにそれぞれ光センサ１１を配して郵便物の有無を検出し、検出結果に基づき前記メッセージボード６に設けられたランプを点灯して併せ表示するようにした、集合住宅の玄関装置における共同玄関のドアー１０の入口手前の壁面に設置され、その近傍にメッセージボード６が設置されているカードリーダ２」の発明（以下、これを、「
引用発明１
　
２．当審が拒絶理由に引用した本願の特許出願前に頒布された
刊行物２
　「【００２１】図３は図２の操作ボックス２のパネルを示す図である。図３において、２１は取付枠であって、取付枠２１には本体のパネル部２３がビス止めされており、パネル部２３の周囲にベゼル２２が嵌め合わされている。パネル部２３には、警備を開始するときにまず押す警備開始スイッチ２４、警備を解除するときにまず押す警備解除スイッチ２５、実行中の操作を中止するときに押すクリアスイッチ２６が配設されている。また、２７は操作者の識別情報が記録されているカードが挿入されるカード挿入口であって、その内部にカードリーダ２７ａ（図３に図示せず、図４に図示）が設けられている。
　　【００２２】２８は各操作指示、システムの作動状態等を表示する表示装置（たとえばＬＣＤ）であり、その下には、操作用のファンクションスイッチＦ１、Ｆ２、Ｆ３が設けられている。後で詳しく述べるように、これらのファンクションスイッチＦ１、Ｆ２、Ｆ３は、操作者に固有の暗証コードを入力するための入力操作手段として用いられ、その場合には、表示装置２８によって各ファンクションスイッチＦ１、Ｆ２、Ｆ３に０から９までのうちのいずれの数字が割り当てられているのかを図１に示したようにして表示する構成となっている。２９はスピーカであって、たとえば５秒経過しても次の操作がない場合に音声で知らせる等の如く音声により表示を行なうためのものである。さらに、３０は警備を開始したときに点灯し警備を解除したときに消灯されるランプである。」
　「【００２８】なお、警備開始スイッチ２４及び警備解除スイッチ２５のオン操作の前に、操作者が誤ってカードをカード挿入口に入れてしまった場合には、表示装置２８に、『スイッチを先に押してください。』を表示して操作者に注意を喚起することもできる。……」
　「【００３１】……ステップ７０１では、表示装置２８に、『カードを挿入してください。』を表示して操作者にカード挿入を指示する。……」
　「【００３２】……ステップ７０５では、表示装置２８に、『カードをお確かめ下さい。』と表示して操作者にカードの誤りを指摘してフローは図６のステップ６０１に戻る。」
　「【００３４】ステップ７０７では、表示装置２８に、『暗証番号を入力してください。』を表示し、操作者に暗証番号入力の指示をする。……」
　「【００３６】……入力回数が５回未満のときには、ステップ７２０において、表示装置２８に、『暗証番号が違います。』を表示してステップ７０８に戻る。……」
　「【００３７】ステップ７１３では、カードが抜かれたか否かを判別する。この結果、カードが抜かれていないときには、ステップ７２１にて、表示装置２８に、『カードを抜いてくださいを意味する絵』を表示し、操作者にカードの抜き忘れを指摘してステップ７１３に戻る。カードが抜かれたときにはステップ７１４に進む。」
　「【００４０】すなわち、ステップ９０１では、表示装置２８に、『カードを挿入してくださいを意味する絵』を表示して操作者にカード挿入を指示する。……」
　
３．当審が拒絶理由に引用した本願の特許出願前に頒布された
刊行物３
　「【００１０】一方、インターホンシステムは玄関のオートドア又は電気錠６と接続する集合玄関機７と管理人室に配置する管理人室親機８をインターホン制御装置９に接続し、このインターホン制御装置９から各階の住居アダプタ１０を経て各住居内の居室親機１１に接続するようにしてある。管理人室親機８はテンキーなどからなる選局釦８ａ、呼出釦８ｂ、メモリクリア釦８ｃ、メモリセット釦８ｄを備えるようにしてある。
　　【００１１】インターホン制御装置９はホストＣＰＵ９ａ、ＲＡＭ９ｂ、ＲＯＭ９ｃからなり、ＣＰＵバスインターフェース９ｄから接続ケーブル１２によりロッカー連動装置５に接続しデータバス、アドレスバス、コマンドバスを構成する。さらには、集合玄関機インターフェース９ｅを介して集合玄関機７に、また管理人室親機８には管理人室親機インターフェース９ｆを介して接続し、住居アダプタインターフェース９ｇを介して住居アダプタ１０に接続するようにしている。居室親機１１は、具体的にはインターホン親機やインターホン機能付き電話機で、メモリーメッセージ灯１１ａと管理室呼出釦１１ｂを備えたものとしておく。接続ケーブル１２でロッカー連動装置５からインターホン制御装置９に流すデータは着荷した居住者の住居表示データである。」
　「【００１３】第４図は居室親機１１の受信回路図で、この受信回路１３はタイマー１３ａとフリップフロップ１３ｂからなり、タイマー１３ａはトランジスタの出力によってセットされ、タイマー１３ａによって設定された時間（７５０ｍＳ）を経過するとフリップフロップ１３ｂがセットされメモリーメッセージ灯１１ａが点灯するようになっていると共に、タイマー１３ａは呼出音発生回路１３ｃを起動する。
　　【００１４】ここで、この発明にかかわる着荷表示システムの概要について説明する。
　荷物の配達があると、該当住居の居室親機のメモリーメッセージ灯１１ａが点灯し、呼出音が鳴動し、荷物の到着を知らせる。７：００〜２２：００の間の配達は即座に知らせ、２２：００〜７：００迄の配達は７：００に知らせるようにする。
　配達後に荷物の滞留すなわち、到着後設定期間（例２日）が経過した場合は、呼出音を鳴動させ、その後２時間毎に呼び出し音を鳴動させる。ただし、これは７：００〜２２：００の間で、２２：００〜７：００の間はカウントのみを行い７：００以降に鳴動を開始させる。
　居住者が共用ロッカー１に赴き内部の荷物を磁気カードなどで本人確認をしてから電気錠を解錠し、荷物を受け取ると、メモリーメッセージ灯１１ａを消灯させ、また滞留の場合は２時間毎の呼出音の鳴動／カウントを停止し、同時にメモリーメッセージ灯１１ａを消灯させる。」
　「【００１７】まず、図５及び図６の着荷処理について説明する。
　共用ロッカー１に荷物が配達されると、共用ロッカー１のコントロールユニット２内の制御部から住居表示データ（荷物の着荷を示すＯＮコードと着荷のあった住居番号からなる）が住居表示パネル３及び副表示盤４に送信され住居番号が点灯する。……
（４）該当住居の住居アダプタ１０に対し、選局データ及び呼出データを送信する。住居アダプタ１０は選局データによって居室親機１１を選局し、７５０ｍＳより長い呼出し信号を居室親機１１の受信回路１３に送出する。呼出し信号の入力によってタイマー１３ａが起動され、このタイマー１３ａの時定数７５０ｍＳと呼出し信号の長さが比較される。比較の結果７５０ｍＳより長い場合には、呼出音発生回路１３ｃが起動し、呼出音（ピンポンパン）が一回鳴動する。同時にタイマー１３ａからセット出力がフリップフロップ１３ｂに送出されフリップフロップ１３ｂからはランプ表示出力が送出され、メモリーメッセージ灯１１ａが点灯するものである。これで通知処理は終了するが、図５に示すようにステップ１に回帰する。
　　【００１８】続いて、図５及び図８の荷物の受取り処理について説明する。
　共用ロッカー１内の荷物が居住者により受け取られると、共用ロッカー１のコントロールユニット２内の制御部から住居表示データ（荷物の受取りを示すＯＦＦコードと住居番号からなる）が住居表示パネル３及び副表示盤４に送信され住居番号が消灯する。……
（５）メモリーメッセージ灯１１ａの消灯処理を行う。
　該当住居の住居アダプタ１０に対し、選局データ及び呼出解除データを送信する。住居アダプタ１０は選局データによって居室親機１１を選局し、７５０ｍＳより短い呼出解除信号を居室親機１１の受信回路に送出する。呼出解除信号によってタイマー１３ａがセットされるが、７５０ｍＳ経過する前にこの解除信号がＯＦＦとなることでタイマー１３ａからはリセット出力がフリップフロップ１３ｂに送出される。そしてフリップフロップ１３ｂからはランプ消灯出力が送出され居室親機１１のメモリーメッセージ灯１１ａが消灯することになる。……」
　「【００２１】……この後はメイン処理に回帰し、そのステップ５の通知処理にて現在の時刻が７：００〜２２：００であれば通知フラグをＯＦＦし通知（呼出音の鳴動）を実行する。（メモリメッセーシ灯１１ａは着荷時の通知処理にて点灯している。）荷物が受け取られるまで２時間毎に呼出音の鳴動を実行する。２２：００〜７：００の間であれば２時間毎のカウントのみを実行し、７：００以降になって通知フラグがＯＮのままであれば通知フラグをＯＦＦし通知を実行し、その後受取がなければ、２時間毎の鳴動を実行する。
　荷物が受け取られると、受取り処理にて滞留タイマー値、通知タイマー値は無効となり、同時に居室のメモリーメッセーシ灯１１ａは消灯する。」
　「【００２２】……なお、集合玄関機７にカードリーダなどの個人あるいは住居識別機能を付加し、居住者が帰宅したときに磁気カードを通すことによって集合玄関機７に着荷の有無を表示させるか音声合成により構成してもよい。」
　そして、添付の図面の【図１】には、「玄関のオートドア又は電気錠６と接続する集合玄関機７と管理人室に配置する管理人室親機８とがそれぞれ接続されるインターホン制御装置９に各階の住居アダプター１０を介して、メモリーメッセージ灯１１ａを筐体に一体に備えた各住居内の居室親機１１を接続させたインターホンシステム」が図示されている。
　
四、当審の判断
１．対比及び一致点・相違点
　本願発明１と上記引用発明１とを対比すると、引用発明１の「住戸番号１３等の識別データ」「カード１」「カードリーダ２」「共同玄関のドアー１０を施錠する電気錠５」「解錠信号を出力してドアー１０の電気錠５を解錠する制御部９」「パソコン若しくはワープロ等で構成して管理人室等に設けられ、特定の住戸者へのメッセージを住戸番号等の識別コードと共に入力するメッセージ入力部７」「メッセージボード６に設けられたランプ」「集合住宅の玄関装置における共同玄関のドアー１０の入口手前の壁面に設置され、その近傍にメッセージボード６が設置されているカードリーダ２」が、本願発明１の「住戸毎に割り当てたＩＤコード」「ＩＤカード」「カード読取走査部」「電気錠」「電気錠制御部」「警報監視盤などの監視装置」「メッセージ表示ランプ」「メッセージ表示機能付電気錠用カードリーダ」にそれぞれ対応する。
　また、引用発明１の「帰宅した住戸者が所持したカード１を所定操作してカードリーダ２にデータを入力し、カードリーダ２が読取った住戸番号１３等のデータが、識別部４で記憶部３の登録データと比較照合され、データの一致により識別部４が住戸番号等の識別信号、すなわち前記特定信号を出力し、該特定信号に基づき制御部９がメモリ８に記憶の対応するデータを検索し、一致したコードがある場合に、」と、本願発明１の「上記カード読取走査部によって読み取られたＩＤコードの登録を照合確認した際に、上記記憶手段にそのＩＤコードに対して上記メッセージ伝言有りが記憶されているときには、」とは、共に「判別手段によるデータの比較照合におけるＩＤコードの同定に基づいて、該ＩＤコードに対応するメッセージ信号が記憶手段に存在することを確認する作業ステップ」のことを意味しているから、両者の技術事項は互いに同義である。
　そして、引用発明１の「管理人が特定の住戸者に対してメッセージがあるときに、メッセージ入力部７を操作することにより識別コードと共に伝言を入力してメモリ８に格納しておき、」が、本願発明１の「上記監視装置から住戸を指定したメッセージ伝言信号を受ける毎に、その住戸に対応する上記ＩＤコードとメッセージ伝言有りとを上記記憶手段に設定する」に対応する。
　さらに、引用発明１における「カードリーダ２、記憶部３、識別部４、電気錠５、メッセージボード６、メッセージ入力部７及びメモリ８をそれぞれ制御し、識別部４が出力した特定信号に基づき、コードに対応するメッセージデータをメモリ８より読みだしてメッセージボード６に出力した後、解錠信号を電気錠５に出力してドアー１０の電気錠５を解錠し、データを受信したメッセージボード６にメッセージを表示して当該住戸者に知らせる制御部９」は、その「識別部４」とともに、カードリーダ２が読取った住戸番号１３等のデータが、識別部４で記憶部３の登録データと比較照合され、データの一致により識別部４が住戸番号等の識別信号、すなわち前記特定信号を出力し、該特定信号に基づき、メモリ８に記憶の対応するデータを検索し、一致したコードがある場合に、そのコードに対応するメッセージデータをメモリ８より読みだしてメッセージボード６に出力した後、解錠信号を電気錠５に出力してドアー１０の電気錠５を解錠し、データを受信したメッセージボード６にメッセージを表示して当該住戸者に知らせる機能を有するものであり、本願発明１における「通信制御信号を送受する通信処理部」と同じく、カード読取走査部によって読み取られたＩＤコードの登録を照合確認して、上記電気錠制御部によって電気錠を解錠させる際には、そのＩＤコードに対して上記メッセージ伝言有りが設定されているか否かを判定する機能を有するものであるから、引用発明１の「識別部４及び制御部９」が、本願発明１の「通信制御信号を送受する通信処理部」に対応する。
　そしてまた、引用発明１は、管理人室等に設けられるパソコン若しくはワープロ等で構成した特定の住戸者へのメッセージを住戸番号等の識別コードと共に入力するメッセージ入力部７と、入力されたメッセージ等のデータを一時記憶するメモリ８を備えており、引用発明１では、管理人が特定の住戸者に対してメッセージがあるときに、メッセージ入力部７を操作することにより識別コードと共に伝言を入力してメモリ８に格納しておき、前記メッセージ入力部７及びメモリ８を制御する制御部９がメモリ８に記憶の対応するデータを検索し、一致したコードがある場合に、制御部９がそのコードに対応するメッセージデータをメモリ８から読みだしてメッセージボード６にメッセージを表示して当該住戸者に知らせるように構成されているから、引用発明１の「識別コードと共に伝言を入力して格納しておくメモリ８」が、本願発明１の「各住戸毎に、ＩＤコードとメッセージ伝言の有無とを対応付けて記憶する記憶手段」に対応して「上記記憶手段にそのＩＤコードに対して上記メッセージ伝言有りが記憶されている」という機能を具備しているとともに、引用発明１の前記「メモリ８及び制御部９」は、本願発明１の「その住戸に対応する上記ＩＤコードとメッセージ伝言有りとを上記記憶手段に設定する信号処理部」の機能を有しているといえる。
　そうすると、本願発明１と引用発明１の両者は、
　「住戸毎に割り当てたＩＤコードを登録したＩＤカードを挿入して、ＩＤコードなどの必要な情報を読取るカード読取走査部と、上記カード読取走査部によって読取られたＩＤコードの登録を照合確認して、その登録が確認されたときに、電気錠を解錠させる電気錠制御部と、警報監視盤などの監視装置に通信線を介して接続され、通信制御信号を送受する通信処理部とを備えたカードリーダにおいて、メッセージ表示ランプと、各住戸毎に、ＩＤコードとメッセージ伝言の有無とを対応付けて記憶する記憶手段と、上記監視装置から住戸を指定したメッセージ伝言信号を受ける毎に、その住戸に対応する上記ＩＤコードとメッセージ伝言有りとを上記記憶手段に設定するとともに、上記カード読取走査部によって読み取られたＩＤコードの登録を照合確認した際に、上記記憶手段にそのＩＤコードに対して上記メッセージ伝言有りが記憶されているときには、上記メッセージ表示ランプを点灯あるいは点滅させる信号処理部とを備えたメッセージ表示機能付電気錠用カードリーダ」である点で一致し、両者は次の点で相違する。
　
相違点１
　
相違点２
　
相違点３
　
２．相違点についての検討
（１）
相違点１
  刊行物２に、電気錠を利用した警備システムにおいて、内部にカードリーダ２７ａが設けられて、操作者の識別情報が記録されているカードが挿入されるカード挿入口２７を有する操作ボックス２のパネル部２３に、各操作指示、システムの作動状態等を、例えば「スイッチを先に押してください。」、「カードを挿入してください。」、「カードをお確かめ下さい。」、「暗証番号を入力してください。」、「暗証番号が違います。」、「カードを抜いてくださいを意味する絵」、「カードを挿入してくださいを意味する絵」等の文字情報ないし絵情報で操作案内の表示をするＬＣＤからなる表示装置２８を設けておいて、操作者にカードの挿入操作を表示装置２８で案内表示する技術が記載されているように、「カードリーダにおけるカード挿入の案内表示技術」というものは、本願特許出願時の周知技術である。
　そして、前記「カードリーダにおけるカード挿入の案内表示技術」の具体的技術手段としての「表示ランプにより案内表示する技術手段」及び「ＬＣＤからなる表示装置で文字情報ないし絵情報により案内表示する技術手段」のいずれも本願特許出願時の周知技術であり、当業者が必要に応じて適宜選択できる技術手段にすぎない。そして、両者の内のいずれの技術手段を前記「カードリーダにおけるカード挿入の案内表示技術」の具体的技術手段とするかは、すぐれて当業者が適宜選択できる設計事項にすぎないことである。
　そうしてみると、引用発明１のカードリーダに、「表示ランプにより案内表示する技術手段」あるいは「ＬＣＤからなる表示装置で文字情報ないし絵情報により案内表示する技術手段」という「カードリーダにおけるカード挿入の案内表示技術」の周知技術を付加するに際して、「表示ランプにより案内表示する技術手段」を選択採用することにより、相違点１に係る本願発明１のような前記「操作手順を表示する表示ランプ」を備える構成を得ることは、引用発明１及び周知技術に基いて当業者が格別の困難を要せずに容易に想到できることである。
　
（２）
相違点２
  刊行物１には、「この判別結果に基づき表示ランプ１６を点灯させるようにするか、若しくは、制御部９を介して当該メールボックスの識別コードをメモリ８に格納する。住戸者が帰宅してカード１をカードリーダ２に挿入して識別データを入力し、識別部４が識別信号を出力すると、制御部９はメモリ８に記憶の識別コードをチェックし、光センサ１１よりの入力があればメッセージボード６に制御信号を出力して表示する。メッセージボード６での表示の方法は、メッセージと合成して表示してもよく、また、ランプ等を別に設けて点灯し、表示するようにしてもよい。」（段落【０００９】）と記載されている。
　刊行物１の上記記載によれば、引用発明１の集合住宅の玄関装置においては、共同玄関のドアー１０の入口手前の壁面に設置されるカードリーダ２と、該カードリーダ２の近傍に設置されているメッセージボード６とは、制御部９を介して相互に通信線で連結されているのであり、メッセージボード６に設けられたランプは、制御部９によりその点灯が制御されるようになっていることは明らかである。
　また、刊行物３〔特開平５−１６２７８９号公報〕には、「居室親機１１は、具体的にはインターホン親機やインターホン機能付き電話機で、メモリーメッセージ灯１１ａと管理室呼出釦１１ｂを備えたものとしておく。」が記載され、また、その【図１】に「メモリーメッセージ灯１１ａを筐体に一体に備えた各住居内の居室親機１１」が図示されていて、メッセージの有無を報知するメモリーメッセージ灯１１ａが、本体の居室親機１１の筐体に一体に備えるようにする技術は、本願特許出願時の周知慣用技術である。
　そうしてみると、メッセージボード６に設けられたランプを制御部９がその点灯を制御するようになっている引用発明１の集合住宅の玄関装置において、離隔しながらも互いの近傍に設置されているメッセージボード６のランプとカードリーダ２を、制御部９を介して通信線で両者を連結する設置形態とするのではなく、周知慣用技術に基いてランプとカードリーダ２の両者を近接配置することによりカードリーダ２の筐体に併せて配置してカードリーダ２に一体の設置形態とするように仕様を変更することは、すぐれて当業者が必要に応じて適宜成し得る設計事項であるといえる。
　
（３）
相違点３
  ランプを点灯又は点滅させるスイッチの制御技術において、定められた一定の時間だけ点灯あるいは点滅するように、その点灯又は点滅する継続時間を予め適宜に設定しておくことは、電気回路又は電子回路の設計ないし制御技術においては、本願特許出願時の周知慣用技術である（一例として、刊行物３〔特開平５−１６２７８９号公報〕におけるメモリーメッセージ灯１１ａの点灯及び消灯をタイマーで制御する技術に関する記載を参照）から、刊行物１にそのランプを点灯又は点滅させる制御技術についての記載が明示的に記載されていないとしても、引用発明１のメッセージボード６に設けられたランプの点灯を制御部９が制御するようになっていることからみて、当然に、そのランプは、定められた一定の時間だけ点灯するように、その点灯の継続時間が予め適宜に設定されているといえるものである。
　したがって、引用発明１のランプの点灯及び消灯の制御を、上記周知慣用技術に基いて、本願発明１のように「所定時間あるいは再度カード読み取りを行うまで、メッセージ表示ランプを点灯あるいは点滅させる」構成とすることは、当業者が格別に困難を伴うことなく容易に想到できることである。
　
（４）まとめ
　そして、本願発明１の奏する作用効果は、引用発明１及び周知慣用技術から予測できる作用効果の範囲内のものであって、格別顕著ということができない。
　したがって、本願発明１は、本願特許出願前に頒布された刊行物１に記載の発明及び周知慣用技術に基いて当業者が容易に発明をすることができたものである。
　
五、むすび
　以上のとおり、本願発明１は、上記刊行物１に記載の発明及び周知慣用技術に基いて当業者が容易に発明をすることができたものであるから、本願発明１は特許法第２９条第２項の規定により特許を受けることができないので、他の請求項に係る発明を検討するまでもなく、本願は拒絶すべきものである。
　よって、結論のとおり審決する。